(57)【特許請求の範囲】
【請求項１】
風呂蓋と、浴室の洗い場の側方に設置された浴槽本体と、前記浴槽本体の洗い場側前面を掩蔽するエプロン部と、を備えた浴槽において、
前記浴槽は、前記風呂蓋と接続されており前記風呂蓋を前記エプロン部に沿って摺動することで収納可能な収納部を有し、
前記収納部は、前記風呂蓋を摺動することで収納可能とするためのレールを有し、
前記レールは、前記風呂蓋を摺動するための切り欠きを有し、
前記風呂蓋は、前記切り欠きに対して嵌合自在な突起部を有し、
前記切り欠きは、前記風呂蓋を摺動する水平部及び前記水平部と繋がっている垂直部を有することで、逆さＬ字状となるように形成されていることを特徴とする浴槽。
【請求項２】
前記風呂蓋は、  その短辺側において折りたたみ可能であることを特徴とする請求項１に記載の浴槽。
【発明の詳細な説明】
【技術分野】
【０００１】
本発明の態様は、浴室に設置される浴槽に関する。
【背景技術】
【０００２】
近年、浴室に設置され、風呂蓋が設置可能な浴槽が知られている。
【０００３】
特許文献１では、風呂蓋を浴室の壁面に立て掛けた状態で支持する受部及び保持具を用いた風呂蓋の支持方法について記載されている。
【０００４】
特許文献２では、風呂蓋をエプロン部に設けられた収納部に収納できる浴槽について記載されている。
【０００５】
特許文献３では、風呂蓋をエプロン部の上端縁部に回動自在に軸支し、風呂蓋を回動させることでエプロン部の収納部に収納できる浴槽について記載されている。
【先行技術文献】
【特許文献】
【０００６】
【特許文献１】特開２００５−１１８０６７号公報
【特許文献２】特開平７−２３６５８１号公報
【特許文献３】特開２００６−１６７１０９号公報
【発明の概要】
【発明が解決しようとする課題】
【０００７】
特許文献１に記載された風呂蓋の支持方法においては、入浴中に入浴者の頭が風呂蓋に当たることで、入浴者の入浴感を阻害する恐れがある。また、このことを防ぐためには、浴室の他の壁面に風呂蓋を支持する構造とすれば良いが、浴室のレイアウトは施工現場によって様々であり、施工者は、施工現場に合わせて、風呂蓋を支持可能な壁面空間を探さなければならないという問題がある。
【０００８】
一方、特許文献２に記載された浴槽においては、風呂蓋をエプロン部に設けられた収納部に収納自在であるため、上述した問題を解決できる。しかし、特許文献２に記載された浴槽においては、風呂蓋をエプロン部に収納する際には、使用者が風呂蓋を持ち上げ、エプロン部に設けられた収納部に風呂蓋を収納させる必要がある。近年の風呂蓋は、幼児が持ち上げて悪戯することを防ぐために、重量が重くなるように形成されており、このような風呂蓋において、使用者が風呂蓋を持ち上げ、エプロン部に設けられた収納部に風呂蓋を収納させるには、大変な労力が必要になるという問題がある。特に、足腰の弱い年配者にとっては、風呂蓋を持ち上げた状態で、風呂蓋を収納部へ誘導し、収納することは、非常に困難であり、風呂蓋を持ち上げたまま転倒してしまう恐れがある。
【０００９】
また、特許文献３に記載された浴槽においては、風呂蓋をエプロン部の上端縁部を軸に回動させることでエプロン部の収納部に収納させる構成であるため、風呂蓋を収納部に収納させる際に、風呂蓋が浴室の洗い場側に大きく飛び出すこととなり、浴室という限られた空間において、洗い場にいる使用者にこの風呂蓋がぶつかってしまう恐れがある。また、風呂蓋をエプロン部の上端縁部を軸に回動させることでエプロン部の収納部に収納させる構成であるため、回動した風呂蓋が勢いよくエプロン部に当接することにより、エプロン部又は風呂蓋が破損してしまう恐れがある。
【００１０】
本発明は、かかる課題の認識に基づいてなされたものであり、入浴者の入浴感を阻害することがなく、施工現場に合わせて、風呂蓋を支持可能な壁面空間を探す必要がなく、その上で、重量が重い風呂蓋であっても、使用者が風呂蓋を収納しやすく、使用者に風呂蓋がぶつかることがなく、且つ、エプロン部又は風呂蓋が破損してしまう恐れを抑制できる浴槽を提供することを目的とする。
【課題を解決するための手段】
【００１１】
第１の発明は、風呂蓋と、浴室の洗い場の側方に設置された浴槽本体と、前記浴槽本体の洗い場側前面を掩蔽するエプロン部と、を備えた浴槽において、前記浴槽は、前記風呂蓋と接続されており前記風呂蓋を前記エプロン部に沿って摺動することで収納可能な収納部を有し、前記収納部は、前記風呂蓋を摺動することで収納可能とするためのレールを有し、前記レールは、前記風呂蓋を摺動するための切り欠きを有し、前記風呂蓋は、前記切り欠きに対して嵌合自在な突起部を有し、前記切り欠きは、前記風呂蓋を摺動する水平部及び前記水平部と繋がっている垂直部を有することで、逆さＬ字状となるように形成されていることを特徴とする浴槽である。
この浴槽によれば、浴槽は、風呂蓋と接続されており風呂蓋をエプロン部に沿って摺動することで収納可能な収納部を有する。このため、使用者は、浴槽の上に戴置された風呂蓋を、浴槽に設けられた収納部へエプロン部に沿って摺動させることで、容易に収納することができる。また、使用者は、浴槽の収納部に収納された風呂蓋を、風呂蓋に寄りかかりつつエプロン部に沿って摺動させることで、容易に浴槽の上に戴置することができる。さらに、足腰の弱い年配者が風呂蓋を持ち上げた際にも、風呂蓋は収納部と接続されているため、風呂蓋を持ち上げたまま転倒してしまうことを抑制できる。したがって、重量が重い風呂蓋であっても、使用者が風呂蓋を収納しやすい浴槽を提供することができる。
また、風呂蓋は浴槽の収納部に収納されるため、入浴中に入浴者の頭が風呂蓋に当たることがなく、入浴者の入浴感を阻害することがない。また、このように風呂蓋は浴槽の収納部に収納されるため、施工者は、施工現場に合わせて、風呂蓋を支持可能な壁面空間を探す必要がない。
さらに、収納部は風呂蓋をエプロン部に沿って摺動することで収納可能であるため、風呂蓋を収納部に収納させる際に風呂蓋を浴室の洗い場側に大きく飛び出させる必要がなく、浴室という限られた空間においても、使用者に風呂蓋がぶつかってしまう恐れがない。また、このように、収納部は風呂蓋をエプロン部に沿って摺動することで収納可能であるため、風呂蓋を収納させる際に風呂蓋が勢いよくエプロン部に当接することがなく、エプロン部又は風呂蓋が破損してしまう恐れがない。
また、前記収納部は、前記風呂蓋を摺動することで収納可能とするためのレールを有し、前記風呂蓋は、前記レールに対して嵌合自在な嵌合部を有することを特徴とする浴槽である。
この浴槽によれば、収納部は、風呂蓋を摺動することで収納可能とするためのレールによって形成され、風呂蓋には、レールに対して嵌合自在な嵌合部が設けられている。このため、使用者は、風呂蓋をレールに沿って摺動することで容易に収納することができる。また、水を扱う空間である浴室において、レールには水垢等が発生しやすいが、風呂蓋をレールに沿って摺動することで、レールに溜まった水垢等を、風呂蓋を摺動させる度に擦り取ることができる。
【００１３】
第２の発明は、第１の発明において、前記風呂蓋は、その短辺側において折りたたみ可能であることを特徴とする浴槽である。
この浴槽によれば、風呂蓋は、その短辺側において折りたたみ可能であるため、例えばバリアフリーを考慮して高さの低い浴槽、即ちエプロン部の高さが低い浴槽であっても、風呂蓋を短辺側において折りたたむことで、風呂蓋を収納部に収納することができる。
【発明の効果】
【００１４】
本発明の態様によれば、入浴者の入浴感を阻害することがなく、施工現場に合わせて、風呂蓋を支持可能な壁面空間を探す必要がなく、その上で、重量が重い風呂蓋であっても、使用者が風呂蓋を収納しやすく、使用者に風呂蓋がぶつかることがなく、且つ、エプロン部又は風呂蓋が破損してしまう恐れを抑制できる浴槽が提供される。
【図面の簡単な説明】
【００１５】
【図１】本発明の一実施形態に係る風呂蓋で浴槽本体を被蓋した状態の浴槽を示す模式的斜視図である。
【図２】図１における風呂蓋を示す模式的斜視図である。
【図３】図２における風呂蓋の短辺側の側面を示す模式的部分斜視図である。
【図４】図1における風呂蓋の突起部と切り欠き部の嵌合状態を示す模式的部分斜視図である。
【図５】図１における風呂蓋を収納部へ収納する途中状態の浴槽を示す模式的斜視図である。
【図６】図５における風呂蓋の突起部と切り欠き部の嵌合状態を示す模式的部分斜視図である。
【図７】本発明の一実施形態に係る風呂蓋を収納部へ収納した状態の浴槽を示す模式的斜視図である。
【図８】図７における風呂蓋の突起部と切り欠き部の嵌合状態を示す模式的部分斜視図である。
【図９】本発明の他の実施形態に係る風呂蓋を収納部へ収納する途中状態の浴槽を示す模式的斜視図である。
【発明を実施するための形態】
【００１６】
以下、本発明の実施の形態について図面を参照しつつ説明する。なお、各図面中、同様の構成要素には同一の符号を付して詳細な説明は適宜省略する。
【００１７】
図１〜８を用いて、本発明の一実施形態に係る浴槽について説明する。
【００１８】
図１に示すように、浴室１の洗い場２の側方には、浴槽８が設置されている。浴槽８は、例えば繊維強化プラスチック（ＦＲＰ）によって成形された浴槽本体１０と、例えばポリプロピレン（ＰＰ）で成形された風呂蓋４と、例えばＰＰで成形されたエプロン部６と、を備える。風呂蓋４は、浴槽本体１０の上に戴置されることで、浴槽本体１０を被蓋する。エプロン部６は、浴槽本体１０の洗い場２側の前面を掩蔽する。浴槽本体１０とエプロン部６との間には、パッキン（図示せず）が介在しており、浴槽本体１０とエプロン部６との隙間から、浴室１外へ水が漏水してしまうことを防ぐ。
【００１９】
エプロン部６は、両端部分に２本のレール（収納部）６ａが装着されている。レール６ａは、エプロン部６に対して螺子（図示せず）によって螺合接続され、固定されている。このレール６ａの役割は後述する。
【００２０】
図２に示すように、風呂蓋４は、第一蓋部４ａと第一蓋部４ａに回動自在に連結された第二蓋部４ｂを有している。第二蓋部４ｂは、第一蓋部４ａに対して回動可能であり、回動することで、回動軸Ａを軸に谷折りにすることができ、風呂蓋４を短辺側へ折りたたむことができる。なお、このときの回動軸Ａは、風呂蓋４の上面（風呂蓋４の表面上部）であって、第一蓋部４ａと第二蓋部４ｂとが当接している部分に位置している。この回動動作は、回動軸Ａに設置された、例えばプラスチック製の蝶番（図示せず）によって行われるものである。また、第二蓋部４ｂの長手方向の略中心には、風呂蓋取手４ｃが存在し、使用者による風呂蓋４の摺動の動作を助ける。なお、風呂蓋取手４ｃは、第二蓋部４ｂでなく、第一蓋部４ａに設けられるものであっても良い。
【００２１】
図３に示すように、風呂蓋４の短辺側の側面の手前側には表面から凸設された突起部１４が設けられている。この突起部１４は風呂蓋４の向かい合う２辺の短辺に対象に存在する。一方、レール６ａの側面には突起部１４を嵌合させるための切り欠き部（嵌合部）１２が設けられている。この切り欠き部１２は、エプロン部６に装着された２本のレール６ａのそれぞれに存在する。切り欠き部１２は、レール６ａの側面において、水平部１２ａ及び垂直部１２ｂを有し、水平部１２ａ及び垂直部１２ｂによって、逆さＬ字状となるように切り欠かれて形成されている。
【００２２】
図４は、図1における風呂蓋４の突起部１４と切り欠き部１２の嵌合状態を示す模式的部分斜視図である。このように、風呂蓋４を浴槽本体１０に被蓋した状態では、突起部１４は、切り欠き部１２の水平部１２ａに配置されている。
【００２３】
図５は、図１における風呂蓋４をレール６ａへ収納する途中状態の浴槽８を示す模式的斜視図であり、図６は、図５における風呂蓋４の突起部１４と切り欠き部１２の嵌合状態を示す模式的部分斜視図である。
図５に示すように、使用者は、第二蓋部４ｂを第一蓋部４ａに対して回動させ、風呂蓋４を折りたたみながら、風呂蓋４を浴槽本体１０から持ち上げる。
図６に示すように、風呂蓋４を持ち上げた状態で、突起部１４は、切り欠き部１２の水平部１２ａから垂直部１２ｂの上方部分へスライドするように移動し、水平部１２ａに配置される。また、この際、風呂蓋４は突起部１４を軸に回転することとなる。
【００２４】
図７は、本発明の一実施形態に係る風呂蓋４をレール６ａへ収納した状態の浴槽８を示す模式的斜視図であり、図８は、図７における風呂蓋４の突起部１４と切り欠き部１２の嵌合状態を示す模式的部分斜視図である。
図７に示すように、第一蓋部４ａがレール６ａ内に収納された際には、回動軸Ａを中心に谷折りして第二蓋部４ｂが第一蓋部４ａの上面に沿って垂れ下がることになる。
図８に示すように、風呂蓋４がレール６ａに収納された状態で、突起部１４は、切り欠き部１２の垂直部１２ｂの下方部分へ移動し、配置される。即ち、風呂蓋４は、エプロン部６に沿って摺動することで、レール６ａ内に収納されることとなる。また、この際、突起部１４は、切り欠き部１２の下端に当接することで、風呂蓋４を洗い場２の床面から浮遊した状態にすることができる。
【００２５】
次に、図９を用いて、本発明の他の実施形態に係る浴槽８について説明する。
図９に示すように、風呂蓋４は回動軸Ａを中心にして折りたたむことで、風呂蓋４を重ねた状態にすることができる。このように、回動軸Ａを複数設けることでエプロン部６の高さが低い場合も収納することが可能であり、エプロン部６の高さをさらに自在に設定することが可能である。よって、例えばバリアフリーを考慮した高さの低い浴槽８であっても、風呂蓋４を短辺側において複数回折りたたむことで、風呂蓋４をレール６ａに収納することができる。
【００２６】
以上、本発明の一実施形態について説明した。しかし、本発明はこれらの記述に限定されるものではない。
【００２７】
本発明の一実施形態において、浴槽８のエプロン部６に設けられたレール６ａは２本のものであったが、それに限らず、１本、または３本以上のものであっても良い。
【００２８】
本発明の一実施形態において、レール６ａは、エプロン部６と別体のものであったが、それに限らず、一体に成形されていても良い。
【００２９】
本発明の一実施形態において、切り欠き部１２は、水平部１２ａ及び垂直部１２ｂによって、逆さＬ字状となるように切り欠かれて形成されたが、それに限らず、水平部１２ａを設けずに、垂直部１２ｂのみによって形成されても良い。また、本発明の一実施形態において、切り欠き部１２はレール６ａに設けられ、突起部１４は風呂蓋４の側面に設けられていたが、それに限らず、切り欠き部１２を風呂蓋４の側面に設け、突起部１４をレール６ａに設けても良い。
【００３０】
前述の実施の形態に関して、当業者が適宜設計変更を加えたものも、本発明の特徴を備えている限り、本発明の範囲に包含される。例えば、風呂蓋４の収納形態や形状、風呂蓋４とレール６ａの勘合形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００３１】
１  浴室
２  洗い場
４  風呂蓋
４ａ  第一蓋部
４ｂ  第二蓋部
４ｃ  風呂蓋取手
６  エプロン部
６ａ  レール（収納部）
８  浴槽
１０  浴槽本体
１２  切り欠き部（嵌合部）
１２ａ  水平部
１２ｂ  垂直部
１４  突起部
Ａ  回動軸
【図１】
0006689488.tif 000002
【図２】
0006689488.tif 000003
【図３】
0006689488.tif 000004
【図４】
0006689488.tif 000005
【図５】
0006689488.tif 000006
【図６】
0006689488.tif 000007
【図７】
0006689488.tif 000008
【図８】
0006689488.tif 000009
【図９】
0006689488.tif 000010